(57)【要約】【課題】破砕室を可逆運転に適した構造にし、ハンマーや粉砕刃の片摩耗を無くして寿命を長くするとともに、破砕室内の処理時間を短縮させる。【構成】厨芥の投入口２に続く破砕室３の底部にハンマー１１をそなえた回転刃板１０を設ける。破砕室３を囲んで両側に、それぞれ投入口２側から底部に向かって狭くなる張出部２１、２２を対称の形状に設け、前記張出部２１、２２の張出面２３、２４を底部で厨芥の送り込みを阻害しない角度θで傾斜させる。張出面２３、２４は投入口側から底部で前記角度θになるよう次第に傾斜させるようにし、破砕室内面に突起２５を設けると良い。【選択図】        図１
2004344844.tif 000002
【特許請求の範囲】
【請求項１】
厨芥の投入口に続く破砕室の底部に回転刃板をそなえ、この回転刃板上に投入した厨芥を飛散させ破砕するディスポーザーにおいて、破砕室を囲んで両側にそれぞれ、投入口側から底部に向かって狭くなる張出部を対称に設け、前記張出部の張出面を底部で厨芥の送り込みを阻害しない角度で傾斜させたことを特徴とする可逆回転ディスポーザー。
【請求項２】
前記張出部の張出面が、投入口側から底部に向けて次第に傾斜させている請求項１の可逆回転ディスポーザー。
【請求項３】
前記破砕室および張出部の内面とくに張出面に、多数の突起を設けている請求項１または２の可逆回転ディスポーザー。
【発明の詳細な説明】
【０００１】
【発明の属する技術分野】
本発明は、厨房等から排出される厨芥を粉砕処理するディスポーザーにおける破砕室の構造に関するものである。
【０００２】
【従来の技術】
台所や厨房から出される厨芥を破砕処理するディスポーザーは、シンクに連結した投入口に続く破砕室の底部に、上面に１個または数個の固定ハンマーまたはスイングハンマー（打撃刃）を取り付けた回転刃板をそなえ、回転刃板上に投入された厨芥に水を加えながら一定の回転方向に回転させることにより、回転による遠心力やハンマーで厨芥を破砕室の内壁に跳ね飛ばして破砕させ、破砕室底部内周に取り付けた内歯車状の固定刃と回転刃板周囲の回転刃との間で細断して粉砕し、固定刃と回転刃の間から回転刃板の下側に排出させるようにしている。
【０００３】
なお、家庭用などの厨芥量が少ないディスポーサーでは、厨芥をあらかじめ破砕室に投入した後に回転刃板を起動させるバッチ式が用いられており、回転刃板を一定方向に回転させ、処理中に固い骨や繊維質のキャベツやごぼうなどが固定刃と回転刃の間などに噛み込んで駆動モータが過負荷になるなどのトラブルを生じた場合は、一時的に回転刃板を逆回転させて噛み込みを除去するようにしており、トラブルが解消すると回転刃板を前記一定方向に回転させる。
【０００４】
【発明が解決しようとする課題】
このように、従来は回転刃板を常に一定の方向に回転させ、噛み込みなどのトラブル時にのみ逆回転させて厨芥処理を行うため、厨芥がハンマーや固定刃の片側だけに当たって破砕あるいは粉砕処理され、とくに固定刃は片側の摩耗がひどく寿命が短くなっている。
また、破砕室の内壁は投入口から円錐状に大きくなっているが、内面が平滑なため、回転刃板から跳ね飛ばされた厨芥が、同じ回転方向に跳ね返って破砕室内で繰り返し飛散し、処理時間が長くなっている。
【０００５】
本発明は、破砕室の内面を、回転刃板の可逆運転に適した対称構造にし、随時に回転方向を変えて処理できるようにし、ハンマーや粉砕刃の片摩耗を無くして寿命を長くするとともに、破砕室内を飛散する厨芥を固定刃の方へ送らせ、処理時間を短縮することを目的にしている。
【０００６】
【課題を解決するための手段】
このため、破砕室を囲んで両側にそれぞれ、投入口側から底部に向かって傾斜する張出部を対称に設け、前記張出部の張出面を底部で厨芥の送り込みを阻害しない角度で傾斜させている。
また、破砕室および張出部の内面とくに張出面に、多数の突起設けて、飛散した厨芥の破砕を有効にすることが望ましい。
【０００７】
【発明の実施の態様】
これを図に示す実施例について説明する。
１は上部ケーシングで、投入口２と破砕室３をそなえている。４は上部ケーシング１に連結した下部ケーシングで、上部内周面に固定刃５を設け、その下方に排出室６とモータ室７をそなえている。８は排出室６に連結した排出管、９はモータ室７に収納した可逆運転が可能なモータである。１０は固定刃５の内側に対向させて設けた回転刃板で、前記モータ９の回転軸に取り付けている。１１は回転刃板１０の上面に取り付けたハンマーで、実施例では固定されたハンマーを示しているが、スイングハンマーでもよい。１２は回転刃である。
【０００８】
２１、２２は破砕室２のそれぞれ半周を囲む張出部で、破砕室３の投入口側の一方に投入口２から外側に張り出させた張出面２２、２３を破砕室の周囲に沿って両側にそれぞれ半周で破砕室底部に達するように傾斜させ、張出部２１、２２の容積を底部側になるにしたがって狭くしている。また、張出面２２、２３の下端部は厨芥を固定刃５と回転刃板１１外周の回転刃の間に送り込めるように傾斜角θで内側に傾斜させている。なお、前記下端部までの張出面２２、２３は中心軸に対して直角な平面でもよいが、実施例では周方向の傾斜とともに投入口側から次第に内側に傾斜させている。
２５は排出室３の内面に設けた突起で、図では一部のみを示している。
【０００９】
投入口２から厨芥を破砕室３に投入し、水を供給しながら回転刃板１０を図３の矢印方向に回転させると、図３の上半部では張出部２１が回転方向に向けて広がっており、張出面２３が底部から投入口側へ上向きに傾斜しているので、回転刃板１０上の厨芥は張出面２３で妨げられることなく跳ね飛ばされて飛散し破砕される。
しかし、破砕室３の反対側（下半部）では、張出面２４が底部に向けて傾斜し張出部２２が回転方向に沿って底部に向けて狭まっているので、回転刃板上から飛散する厨芥は、張出面２４に当たって張出部２２内を狭くなった底部の方向に送り込まれ、固定刃５と回転刃板１０外周の回転刃１２の間で粉砕され、排出室６に流される。
【００１０】
回転刃板１０を逆方向に回転させた場合は、図３の下半部では張出部２２が投入口側に向けて広がり、厨芥の飛散を妨げないが、上半部では張出面２３が底部に向かって傾斜し、張出部２１が回転方向に向けて狭まるので、回転刃板上から飛散する厨芥は、張出部２１内を底部の固定刃５の方に、前記矢印方向の回転時とは反対方向から送られる。
【００１１】
なお、破砕室３および張出部２１、２２の内面、とくに張出面２３、２４に、多数の小さい突起２５を設けておけば、飛散した厨芥の破砕を有効に行わせることができる。
【００１２】
【発明の効果】
このように本発明は、破砕室を囲んで両側にそれぞれ、投入口側から底部に向かって傾斜する張出部を対称の形状に設け、前記張出部の張出面は底部側の端で厨芥の送り込みを阻害しない角度に傾斜させている。このため、回転刃板から飛散する厨芥は、回転方向の下流側になる破砕室片側では張出部が回転方向に広くなり、十分な衝撃破砕が行われるが、上流側になる反対の片側では、張出部が次第に狭くなって厨芥を底部の固定刃に送り込ませるので、破砕室内での飛散の繰り返しが減少し、粉砕排出を迅速に行うことができる。また、回転刃板を逆回転させても同様の効果が得られるので、回転方向を変えることによりハンマーや固定刃など摩耗部分の片摩耗を防ぎ、寿命を増大させる利点がある。
また、破砕室内面に多数の突起を設けておけば、飛散した厨芥の破砕効果を向上させることができる。
【図面の簡単な説明】
【図１】本発明の実施例を示すディスポーザーの側断面図である。
【図２】図１の外側面図である。
【図３】図１の実施例における上部ケーシングの下面図である。
【図４】図３のＡ−Ａ線に沿う断面図である。
【符号の説明】
１  上部ケーシング
２  投入口
３  破砕室
４  下部ケーシング
５  固定刃
６  排出室
７  モータ室
８  排出管
９  モータ
１０  回転刃板
１１  ハンマー
１２  回転刃
２１、２２  張出部
２３、２４  張出面
２５  突起
【図１】
2004344844.tif 000003
【図２】
2004344844.tif 000004
【図３】
2004344844.tif 000005
【図４】
2004344844.tif 000006